(57)【要約】【課題】スケジュール計算精度の向上を図りながら、可能な限り少ない計算量で最適な発電電力を発電可能とする運転スケジュールを決定する。【解決手段】軸発電設備の軸スケジュール計算手段と統括スケジュール計算手段を備え、統括スケジュール計算手段は外部からの要求電力量の信号を基に軸発電設備毎に目標負荷とその到達時刻を計算し、軸スケジュール計算手段に指示して目標負荷とその到達時刻を達成するに必要な軸スケジュールを入手し、過去の軸スケジュール計算結果を保存し、外部からの要求電力量を元に統括スケジュール計算手段が計算した軸発電設備の目標負荷とその到達時刻と同じ内容の前回軸スケジュールを保持しているときに、軸スケジュール計算手段による軸スケジュール計算を実行せずに、前回軸スケジュールにより軸発電設備を制御する。【選択図】図１
2015094972.tif 000002
【特許請求の範囲】
【請求項１】
外部からの要求電力量を得、原動機により発電機を駆動する軸発電設備とその制御装置と該制御装置に対して運転指示を与える軸スケジュール計算手段とで構成された複数の個別発電設備の前記軸スケジュール計算手段に対して、目標負荷とその到達時刻を指示して当該指示を実行するための軸スケジュールを計算せしめる統括スケジュール計算手段を備えた火力発電プラント運転支援装置であって、
前記外部からの要求電力量の信号を基に前記軸発電設備毎に目標負荷とその到達時刻を計算し、前記軸スケジュール計算手段に指示して前記目標負荷とその到達時刻を達成するに必要な軸スケジュールを入手する統括スケジュール計算手段と、
過去の軸スケジュール計算結果を保存しておく前回計算軸スケジュール計算結果格納ファイルと、
前記軸発電設備の現在運転時のプラントデータを記憶するプラントデータ格納ファイルと、
前回計算軸スケジュール計算結果格納ファイルに格納された前回計算軸スケジュールでの各イベントの進行状況と、前記プラントデータ格納ファイルに格納されたプラントデータから得られる現在運転時のプラントのイベントの進行状況とを時間対比して表示する表示手段とを備えることを特徴とする火力発電プラント運転支援装置。
【請求項２】
外部からの要求電力量を得、原動機により発電機を駆動する軸発電設備とその制御装置と該制御装置に対して運転指示を与える軸スケジュール計算手段とで構成された複数の個別発電設備の前記軸スケジュール計算手段に対して、目標負荷とその到達時刻を指示して当該指示を実行するための軸スケジュールを計算せしめる統括スケジュール計算手段を備えた火力発電プラント運転支援装置であって、
前記外部からの要求電力量の信号を基に前記軸発電設備毎に目標負荷とその到達時刻を計算し、前記軸スケジュール計算手段に指示して前記目標負荷とその到達時刻を達成するに必要な軸スケジュールを入手する統括スケジュール計算手段と、
過去の軸スケジュール計算結果を保存しておく前回計算軸スケジュール計算結果格納ファイルを備え、
前記外部からの要求電力量を元に前記統括スケジュール計算手段が計算した前記軸発電設備の目標負荷とその到達時刻と同じ内容の前回軸スケジュールを、前記前回計算軸スケジュール計算結果格納ファイルが保持しているときに、前記軸スケジュール計算手段による前記目標負荷とその到達時刻を達成するに必要な軸スケジュール計算を実行せずに、前記前回計算軸スケジュール計算結果格納ファイルが保持している前回軸スケジュールにより前記軸発電設備を制御することを特徴とする火力発電プラント運転支援装置。
【請求項３】
請求項２に記載の火力発電プラント運転支援装置であって、
前記前回計算軸スケジュール計算結果格納ファイルが保持している前回軸スケジュールにより前記軸発電設備を制御開始する以前に、前記外部からの要求電力量が変更された場合には、前記軸スケジュール計算手段による前記目標負荷とその到達時刻を達成するに必要な軸スケジュール計算を実行してその結果により前記軸発電設備を制御することを特徴とする火力発電プラント運転支援装置。
【請求項４】
請求項２に記載の火力発電プラント運転支援装置であって、
前記軸発電設備の現在運転時のプラントデータを記憶するプラントデータ格納ファイルを備え、
前記前回計算軸スケジュール計算結果格納ファイルが保持している前回軸スケジュールにより前記軸発電設備を制御している段階において、前記前回計算軸スケジュールでのイベントの進行状況と、前記プラントデータ格納ファイルに格納されたプラントデータから得られる現在運転時のプラントのイベントの進行状況とを時間対比することを特徴とする火力発電プラント運転支援装置。
【請求項５】
請求項４に記載の火力発電プラント運転支援装置であって、
前記前回計算軸スケジュールでのイベントの進行状況と、前記現在運転時のプラントのイベントの進行状況とを時間対比したとき、その時間差が大きいことをもって、前記軸スケジュール計算手段による軸スケジュール計算を実行し、その結果により前記軸発電設備を制御することを特徴とする火力発電プラント運転支援装置。
【請求項６】
請求項４に記載の火力発電プラント運転支援装置であって、
前記前回計算軸スケジュールでのイベントの進行状況と、前記現在運転時のプラントのイベントの進行状況とを時間対比したとき、その時間差が拡大方向にあることをもって、前記軸スケジュール計算手段による軸スケジュール計算を実行し、その結果により前記軸発電設備を制御することを特徴とする火力発電プラント運転支援装置。
【請求項７】
請求項５に記載の火力発電プラント運転支援装置であって、
前記前回計算軸スケジュールでのイベントの進行状況と、前記現在運転時のプラントのイベントの進行状況とを時間対比したときの時間差が所定時間を逸脱するときに、前記軸スケジュール計算手段による軸スケジュール計算を実行するか、前回軸スケジュールによる制御を継続するのかを選択する手段を備えることを特徴とする火力発電プラント運転支援装置。
【発明の詳細な説明】
【技術分野】
【０００１】
本発明は、原動機により発電機を駆動する複数の軸発電設備を１つの発電設備として運転する火力発電プラントの運転支援装置に係り、特に火力発電プラントに要求された電力量を各軸発電設備に割り当てて、各軸発電設備における機器のスケジュール計算により起動停止を実行するための火力発電プラントの運転支援装置に関する。
【背景技術】
【０００２】
本発明の適用対象となる火力発電所では、特許文献1、特許文献２に記述されているようにガスタービン若しくは蒸気タービン等の原動機により発電機を駆動する複数の軸発電設備を有する。
【０００３】
係る構成では、需要側の要求電力量に対して火力発電所全体として目標達成するために必要な各軸発電設備の目標負荷と到達時刻を定める統括スケジュール計算、および統括スケジュール計算から起動される各軸発電設備の軸スケジュール計算を含めたスケジュール計算を実行する。
【先行技術文献】
【特許文献】
【０００４】
【特許文献１】特開２００５−２８４３８８
【特許文献２】特開２０１１−６９３５６
【発明の概要】
【発明が解決しようとする課題】
【０００５】
上記の火力発電プラントでは、運転支援装置側の統括スケジュール計算と各軸発電設備側の軸スケジュール計算が協同してデータの送受信を行っていく必要があるが、軸発電設備数が多く、あるいは頻繁な起動停止を繰り返すような使用場面では、運転支援装置等の計算設備の負荷が高くなり、かつ運転員の負荷も増大する。このため、スケジュール計算精度の向上を図りながら、可能な限り少ない計算量で最適な発電電力を発電可能とする運転スケジュールを決定する火力発電プラント運転支援装置が望まれる。
【０００６】
係る設備運用上の付随する問題点として、さらに以下の点にも考慮する必要がある。ガスタービンや蒸気タービン等の原動機により発電機を駆動する複数の軸発電設備を１つの発電設備として発電運転をする火力発電プラントにおいて、火力発電プラントは複数軸発電設備があるにも拘らず運転員は数名程度に抑えられる傾向にある。そのうえ特に特定規模電気事業者（以下、ＰＰＳという）に対応した発電設備は各売電先顧客（以下、需要者という）の要求電力量の調整として、需要者の要求状況により数時間先の決定済みの要求電力が時刻と共に刻々と変更されていくように、要求電力量は変化していくことが多い。
【０００７】
ところで、複数の発電軸で構成された実際の発電設備についてみると、この発電設備は一度に全設備が新規に設置される新設発電設備であることもあるが、多くの場合に増設や改修を経て、現在の構成に至っている場合が多い。このため、発電設備の中には他メーカが納入する発電設備、既設納入済みの発電設備が含まれ、これら全ての発電設備を１つの纏まった発電設備として発電運転を行うことにより需要者からの要求電力量に対し発電する必要がある。
【０００８】
また複数の発電軸で構成された発電設備を実際に運転することについてみると、全発電軸を対象としたスケジュール計算を実施することが必須である。発電設備の各発電軸はスケジュール計算実施時において、起動進行中、停止進行中の様な運転状況はいろいろなパターンとなることから、１つの発電設備として運転するために全発電軸を対象としたスケジュール計算を実施することは必須である。
【０００９】
またスケジュール計算を実施するときには、全発電軸を計算する統括スケジュール計算機能と、個々の発電軸の軸スケジュール計算機能とで構成する必要がある。然るに各発電軸は、新設発電設備や他メーカ発電設備や既設発電設備で構成されるので、個別の軸スケジュール計算機能は、各々に必要なスケジュール計算を行う必要があり、互いのスケジュール計算に必要データを双方で送受信している。
【００１０】
係るシステム構成では、このデータ双送受信のための所要時間および各々のスケジュール計算のための所用時間が必要とするため、統括スケジュール計算開始時点から軸スケジュール計算を行い、再度統括スケジュール計算を行って、最終的に統括スケジュール計算を行うことになる。このため最終完了時点までの時間差分の間においても、プラント状況は進行している。
【００１１】
結果的に、スケジュール計算結果を最終結果として使用する時点において、実プラント運転状況とスケジュール状況が相違する事象が発生し、各発電設備の運転状況を考慮し最適な送電電力の確保させるように全発電設備を対象にした複数発電軸を最適に運用することは容易ではなかった。
【００１２】
以上のことから本発明においては、スケジュール計算精度の向上を図りながら、可能な限り少ない計算量で最適な発電電力を発電可能とする運転スケジュールを決定する火力発電プラント運転支援装置を提供するものである。
【課題を解決するための手段】
【００１３】
本発明においては上記課題を解決するために、外部からの要求電力量を得、原動機により発電機を駆動する軸発電設備とその制御装置と制御装置に対して運転指示を与える軸スケジュール計算手段とで構成された複数の個別発電設備の軸スケジュール計算手段に対して、目標負荷とその到達時刻を指示して当該指示を実行するための軸スケジュールを計算せしめる統括スケジュール計算手段を備えた火力発電プラント運転支援装置であって、記外部からの要求電力量の信号を基に軸発電設備毎に目標負荷とその到達時刻を計算し、軸スケジュール計算手段に指示して目標負荷とその到達時刻を達成するに必要な軸スケジュールを入手する統括スケジュール計算手段と、過去の軸スケジュール計算結果を保存しておく前回計算軸スケジュール計算結果格納ファイルを備え、外部からの要求電力量を元に統括スケジュール計算手段が計算した軸発電設備の目標負荷とその到達時刻と同じ内容の前回軸スケジュールを、前回計算軸スケジュール計算結果格納ファイルが保持しているときに、軸スケジュール計算手段による目標負荷とその到達時刻を達成するに必要な軸スケジュール計算を実行せずに、前回計算軸スケジュール計算結果格納ファイルが保持している前回軸スケジュールにより軸発電設備を制御することを特徴とする。
【発明の効果】
【００１４】
本発明は、以上の構成を備えるため、要求電力に対する発電設備の運転状況を考慮した最適な送電電力が確保可能となり、計算機の負担軽減を図り、迅速なスケジュール計算が可能となりスケジュール精度の向上を図ることが可能となるスケジュールを生成することができる。
【図面の簡単な説明】
【００１５】
【図１】火力発電プラント運転支援装置の全体構成例を示す図。
【図２】複数の発電軸で構成された発電設備の全体構成を示す図。
【図３】スケジュール計算事例として１回起動停止パターンを示す図。
【図４】スケジュール計算事例として複数回起動停止パターンを示す図。
【図５】Ｘ時刻における統括スケジュール計算要求による軸スケジュール計算結果を示す図。
【図６】Ｙ時刻における統括スケジュール計算要求による軸スケジュール計算結果を示す図。
【図７】前回軸スケジュール結果と現在プラント状況確認操作画面を示す図。
【図８】前回軸スケジュール結果と現在プラント状況確認フローを示す図。
【図９】前回軸スケジュール結果と現在プラント状況確認概要を示す図。
【図１０】発電設備起動順位設定用のスケジュール計算用情報設定手段を示す図。
【図１１】発電設備停止順位設定用のスケジュール計算用情報設定手段を示す図。
【図１２】前回軸スケジュール結果と現在プラント状況の傾向監視を示す図。
【図１３】統括スケジュール計算手段実行フローを示す図。
【図１４】軸スケジュール計算手段実行時の各イベント間の傾向監視を考慮するスケジュール計算を示す図。
【発明を実施するための形態】
【００１６】
以下、本発明の実施形態について図面を参照しながら説明する。
【実施例】
【００１７】
最初に、本発明の火力発電プラント運転支援装置により制御される火力発電プラントの全体構成の一事例を説明する。図２は複数の発電軸で構成された発電設備の全体構成図を説明する図である。
【００１８】
図２において１０８が本発明の火力発電プラント運転支援装置であり、１１０が火力発電プラント運転支援装置１０８内の統括スケジュール計算手段１０３からの信号を受けて発電を行うＰＰＳ発電設備（以下単に発電設備という）である。図２の例では、発電設備１１０は３組の個別発電設備ＰＰＳ１，ＰＰＳ２，ＰＰＳ３により構成されている。
【００１９】
各個別発電設備ＰＰＳ１，ＰＰＳ２，ＰＰＳ３は、火力発電プラント運転支援装置１０８内の統括スケジュール計算手段１０３からの信号を受けて当該個別発電設備の運転スケジュールを計算する各軸のスケジュール計算手段ＳＣ（第１軸計算手段ＳＣ１，第２軸計算手段ＳＣ２，第３軸計算手段ＳＣ３）と、各軸のスケジュール計算手段ＳＣからのスケジュール信号に応じて制御信号を与える各軸の制御装置ＣＴ（第１軸制御装置ＣＴ１，第２軸制御装置ＣＴ２，第３軸制御装置ＣＴ３）と、各軸の制御装置ＣＴにより制御される各軸の発電設備ＰＷ（第１軸発電設備ＰＷ１，第２軸発電設備ＰＷ２，第３軸発電設備ＰＷ）により構成されている。
【００２０】
各軸の発電設備ＰＷ（以下、軸発電設備という。）は、第１軸発電設備ＰＷ１に具体事例を示しているように、ごく簡単に言うとガスタービンＧＴと蒸気タービンＳＴにより発電機Ｇを起動する。図の例では、第１軸発電設備ＰＷ１から第３軸発電設備ＰＷ３までの３組で構成された事例を示している。
【００２１】
発電設備ＰＷの具体的な構成は例えば以下のようにされている。まず、ガスタービンＧＴを主たる構成要素とするガスタービン設備として、空気流量調節弁ＶＡにより調節して取り込んだ空気Ａを圧縮する空気圧縮機ＣＯＭＰと、空気圧縮機ＣＯＭＰと燃料量調節弁ＶＦにより調節して取り込んだ燃料Ｆを用いて燃焼を行なう燃焼器ＣＯＭＢと、燃焼器ＣＯＭＢからの高圧燃焼ガスで駆動されるガスタービンＧＴを備える。
【００２２】
ガスタービンＧＴで仕事をした後の燃焼排ガスは高温高圧であることから、この保有エネルギーを回収するために蒸気タービン設備を備える。蒸気タービンＳＴを主たる構成要素とする蒸気タービン設備は、給水調節弁ＶＷで調節した給水をガスタービン燃焼排ガスで加熱して蒸気を得る排熱回収ボイラＢと、蒸気で駆動される蒸気タービンＳＴと、蒸気タービンＳＴから排出された蒸気を復水して再度水に戻して再利用するための復水器ＣＯＮＤを備える。
【００２３】
発電機ＧはガスタービンＧＴと蒸気タービンＳＴにより駆動されて発電を行なう。
【００２４】
なお図２では発電設備ＰＷの具体的な構成例として、ガスタービンＧＴと蒸気タービンＳＴにより発電機Ｇを起動するものを示しているが、これは原動機（ガスタービンＧＴや蒸気タービンＳＴなど）により発電機Ｇを起動するものであればよい。
【００２５】
以上のように構成された軸発電設備ＰＷは、軸発電設備ＰＷごとに設けられた軸制御装置ＣＴにより駆動される。軸制御装置ＣＴは、軸スケジュール計算手段ＳＣからの制御指令を受けて当該軸の発電設備を制御する。軸制御装置ＣＴの具体的な操作端は、燃焼器ＣＯＭＢに与える燃料Ｆの供給量を制御する燃料流量調節弁ＶＦ、排熱回収ボイラＢに与える給水Ｗの供給量を制御する給水流量調節弁ＶＷ、空気圧縮機ＣＯＭＰに与える空気量を制御する空気流量調節弁ＶＡなどである。
【００２６】
なお第２軸発電設備ＰＷ２については、第２軸スケジュール計算手段ＳＣ２の制御指令により第２軸制御装置ＣＴ２を経由して第２軸発電設備ＰＷ２を制御する。第３軸発電設備ＰＷ３についても第２軸発電設備ＰＷ２と同様である。
【００２７】
図１は、本発明の実施形態に関わる火力発電プラント運転支援装置の全体構成を説明する図である。
【００２８】
図１の上部には火力発電プラント運転支援装置１０８の具体的な構成事例を示している。また図１の下部には個別発電設備ＰＰＳ１，ＰＰＳ２，ＰＰＳ３の概略構成を示している。以下の説明では、主に火力発電プラント運転支援装置１０８の具体的な構成について述べるが、個別発電設備ＰＰＳのうち、個別発電設備ＰＰＳ１は新設の発電設備、個別発電設備ＰＰＳ２は他メーカの発電設備、個別発電設備ＰＰＳ３は既設の発電設備である事例を示している。従って、個別発電設備ＰＰＳの運転特性などが相違することを想定している。
【００２９】
図１の火力発電プラント運転支援装置１０８では、発電設備１１０に対して要求された要求電力量を満たすために必要な各軸発電設備ＰＰＳの目標負荷とその到達時刻を個別にスケジュール計算して設定する。統括スケジュール計算手段１０３からの目標負荷とその時刻に対し、個別発電設備ＰＰＳの軸スケジュール計算手段ＳＣは、これを満たすために必要な軸発電設備ＰＷ内の機器や操作端の操作時期を決定するためのスケジュール計算を実行する。なお、軸スケジュール計算手段ＳＣの計算結果は、再度統括スケジュール計算手段１０３に送られて、全体としてのスケジュール確認の後に改めて個別発電設備ＰＰＳに送られ、軸制御装置ＣＴによる制御が実行される。
【００３０】
図１には、統括スケジュール計算手段１０３において発電設備１１０に対して要求された要求電力量を満たすために必要な各軸発電設備ＰＰＳの目標負荷とその到達時刻を決定するまでの具体的な手段が記述されている。
【００３１】
図１では、最初に需要者１００が必要とする要求電力量を給電指令装置１０１で受信し、要求電力量作成手段１０２で求めた必要電力値が、当該発電設備１１０が負担すべき電力量として火力発電プラント運転支援装置１０８内の統括スケジュール計算手段１０３に与えられる。
【００３２】
統括スケジュール計算手段１０３では、発電設備１１０全体として要求電力量を発電するために必要なスケジュール計算を実施する。統括スケジュール計算手段１０３は、各軸発電設備ＰＰＳに対し最適な電力を発電してもらうために必要な起動目標負荷および起動目標負荷到達時刻を送信する。各発電設備ＰＰＳは起動目標負荷および起動目標負荷到達時刻にマッチするように軸スケジュール計算手段ＳＣにてスケジュール計算を行い、軸スケジュール計算結果を統括スケジュール計算手段１０３へ戻す。
【００３３】
ここで具体的なスケジュール計算事例として１回起動停止パターンについて図３で説明する。この図で上段の３００が統括スケジュール計算手段１０３によるスケジュールであり、３０１から３０３が個別の軸スケジュール計算手段ＳＣによるスケジュールである。
【００３４】
当該発電設備１１０に対し指令された要求電力量は、ある日の朝から深夜の２４時間について昼の電力需要増大に向けて電力増加を指令し、その後電力減少を指令するという１回起動停止パターン／日の内容である。統括スケジュール計算手段１０３による統括スケジュール３００では、これを達成すべく、時刻ｔ１で１台目の軸発電設備を起動し、時刻ｔ２で２台目の軸発電設備を起動し、時刻ｔ３で３台目の軸発電設備を起動し、さらにその後電力減少に従い時刻ｔ４で１台目の軸発電設備を停止し、時刻ｔ５で２台目の軸発電設備を停止し、時刻ｔ６で３台目の軸発電設備を停止するというものである。
【００３５】
さらに統括スケジュール計算手段１０３による統括スケジュール３００では、統括スケジュール３００の関係を達成するために第１軸に対して時刻ｔ１から時刻ｔ６までの期間の運転を指示し、第２軸に対して時刻ｔ２から時刻ｔ５までの期間の運転を指示し、第３軸に対して時刻ｔ３から時刻ｔ４までの期間の運転を指示したものである。
【００３６】
軸スケジュール計算手段ＳＣでは、例えば第１軸に対する指令の例で説明すると、時刻ｔ１に起動完了して所望の電力を供給するために、これを満たすために必要な軸発電設備ＰＷ１内の機器や操作端の操作時期を決定する、いわゆる逆上がり計算を実行する。この操作開始時期が、時刻ｔ１の前の時刻ｔ１０で表されている。同様に時刻ｔ６まで電力供給を続けた場合に、軸発電設備ＰＷ１内の機器や操作端の操作停止時期を決定すると、これは時刻ｔ６の後の時刻ｔ６０である。
【００３７】
軸スケジュール計算手段ＳＣでは、この操作開始時期と機器や操作端の操作時期を確認しながら指令された起動、停止が完了されるまでの手順と時刻を定めている。先にも述べたように個別発電設備ＰＰＳの運転特性などが相違することから、手順としては同じ内容であっても操作端の処理結果を得て次の操作端の操作に至ることができるまでの時間などは相違してくる可能性がある。各軸スケジュール計算手段ＳＣでは、各軸発電設備ＰＷの特性が反映された形でのスケジュール計算を行っている。
【００３８】
図３を用いて、さらに統括スケジュール計算手段１０３と軸スケジュール計算手段ＳＣ間のデータ送受信を説明する。これは１回起動停止パターン／日に関するものである。
【００３９】
この例では、需要者１００からの信号を給電指令装置１０１で受取る。さらに要求電力量作成手段１０２で作成した時刻別の要求電力パターン３００が給電指令装置１０１からの要求電力量パターンとして統括スケジュール計算手段に受け取られる。統括スケジュール計算手段１０３では、発電運転時間帯と要求電力から判断し、各軸発電設備を起動させるための目標負荷、目標負荷到達時刻を求める。
【００４０】
例えば要求電力が増加傾向にある時は、目標負荷、目標負荷到達時刻から１台目起動タイミングｔ１、２台目起動タイミングｔ２、３台目起動タイミングｔ３を求める。要求電力が減少傾向にある時は１台目停止タイミングｔ４、２台目停止タイミングｔ５、３台目停止タイミングｔ６を求める。
【００４１】
１台目起動タイミングに対し１台目軸スケジュール３０１では、１台目起動タイミングに対し１台目の目標負荷到達時刻ｔ１、この時の要求電力を目標負荷とするスケジュール計算を実施し、この時の１台目起動軸スケジュール計算データを統括スケジュール計算手段１０３へ送信する。つまり、統括スケジュール計算手段１０３と１台目起動軸スケジュール計算手段ＳＣ１間で双方向にデータの送受信を行なっている。
【００４２】
同様に２台目軸スケジュール計算でも統括スケジュール計算手段１０３と２台目軸スケジュール計算手段ＳＣ２間で、同様に３台目起動軸スケジュールにおいてもデータの送受信を行なっている。
【００４３】
停止過程においても１台目停止時は１台目停止軸スケジュール計算を行ない統括スケジュール計算手段１０３間においてデータの送受信を実施している。同様に２台目、３台目においても軸スケジュール計算手段ＳＣと統括スケジュール計算手段１０３間において必要なデータの送受信を行なっている。
【００４４】
図３では、２４時間内で１回の起動停止を行う場合のスケジュール事例について説明した。しかし実際には、需要者の要求電力量パターンは複雑であることから、要求電力量に対応するために発電運転を行うべき発電運転時間帯が同日内に複数回となる場合が発生し、１回目の発電運転時間帯の運転のためには１回目の軸起動、１回目の軸停止を行う必要がある。次の２回目の発電運転時間帯の運転のためには２回目の軸起動、２回目の軸停止を行う必要がある。
【００４５】
複数回スケジュール計算事例について図４で説明する。この図で上段の３００が統括スケジュール計算手段１０３によるスケジュールであり、３０１から３０３が個別の軸スケジュール計算手段ＳＣによるスケジュールである。
【００４６】
当該発電設備１１０に対し指令された要求電力量は、ある日の朝から深夜の２４時間について朝の電力需要増大に向けて電力増加した後電力減少を指令し、さらに夜の電力需要増大に向けて電力増加した後電力減少を指令するという２回起動停止パターン／日の内容である。
【００４７】
統括スケジュール計算手段１０３による統括スケジュール３００では、まず朝の増加減少を達成すべく、時刻ｔ１で１台目の軸発電設備を起動し、時刻ｔ２で２台目の軸発電設備を起動し、時刻ｔ３で３台目の軸発電設備を起動し、さらにその後電力減少に従い時刻ｔ４で１台目の軸発電設備を停止し、時刻ｔ５で２台目の軸発電設備を停止し、時刻ｔ６で３台目の軸発電設備を停止するというものである。
【００４８】
また統括スケジュール計算手段１０３による統括スケジュール３００では、夜の増加減少を達成すべく、時刻ｔ７で１台目の軸発電設備を起動し、時刻ｔ８で２台目の軸発電設備を起動し、時刻ｔ９で３台目の軸発電設備を起動し、さらにその後電力減少に従い時刻ｔ１０で１台目の軸発電設備を停止し、時刻ｔ１１で２台目の軸発電設備を停止し、時刻ｔ１２で３台目の軸発電設備を停止するというものである。
【００４９】
さらに統括スケジュール計算手段１０３による統括スケジュール３００では、統括スケジュール３００の関係を達成するために第１軸に対して時刻ｔ１から時刻ｔ６までの期間の運転と時刻ｔ８から時刻ｔ１１までの期間の運転を指示し、第２軸に対して時刻ｔ２から時刻ｔ５までの期間と時刻ｔ９から時刻ｔ１０までの期間の運転を指示し、第３軸に対して時刻ｔ３から時刻ｔ４までの期間と時刻ｔ７から時刻ｔ１２までの期間の運転を指示したものである。
【００５０】
なお図４の運転スケジュールパターンに対して各スケジュール計算手段ＳＣが実行する内容は図３の説明で上記したと同じであるのでここでの説明を省略する。
【００５１】
図４の場合にも、需要者からの信号を給電指令装置で受取り、要求電力量作成手段で作成した時刻別の要求電力パターン３００は、給電指令装置からの要求電力量パターンを統括スケジュール計算手段で受け取り、発電運転時間帯から要求電力から判断し、発電軸を起動させるための目標負荷、目標負荷到達時刻を求める。
【００５２】
図４は図３で説明した内容と基本的に同じであるが、需要者の必要とする要求電力量パターンが複雑化し要求電力量を必要とする発電運転時間帯が１日間に複数回となる場合を示している。図の例では、１回目発電運転時間帯、２回目発電運転時間帯が存在し、図３と同様に統括スケジュール計算手段１０３と各個別の軸スケジュール計算手段ＳＣ間において、スケジュール計算データの送受信を行なっている。
【００５３】
係る図４の事例では、複数回の発電運転時間帯が、ある回数分だけ軸起動、軸停止を行う必要があり、その都度統括スケジュール計算手段１０３と軸スケジュール計算手段ＳＣのそれぞれで計算を行い、お互いに必要なデータを双方に送受信を行うことになる。
【００５４】
このため統括スケジュール計算手段１０３は、第１軸スケジュール計算手段ＳＣ１、第２軸スケジュール計算手段ＳＣ２、第３軸スケジュール計算手段ＳＣ３のそれぞれに起動目標負荷および起動目標負荷到達時刻を送信し、それぞれの個別軸スケジュール計算手段ＳＣで軸スケジュールを計算することになる。軸スケジュール計算結果はそれぞれの軸制御装置ＣＴ１からＣＴ３へ送信され、第１軸制御装置ＣＴ１は１軸スケジュール計算結果に基づいたスケジュールに沿って第１軸発電軸ＰＷ１の運転を実施する。２軸および３軸についても同様に２軸スケジュール計算結果で第２軸制御装置ＣＴ２は第２軸発電軸ＰＷ２の運転を実施し、第３軸スケジュール計算結果で第１軸制御装置ＣＴ３は第３軸発電軸ＰＷ３の運転を実施する。
【００５５】
各発電設備ＰＷ（ＰＷ１、ＰＷ２、ＰＷ３）からの発電電力は需要者１００へ供給される。ここではＰＰＳ発電設備として新設発電設備ＰＰＳ１、他メーカ発電設備ＰＰＳ２、既設発電設備ＰＰＳ３等の多種多様な発電設備があり、これら発電設備を含めた総合的な発電設備としての運用が必要である。
【００５６】
図１に戻り、個別発電設備の各軸スケジュール計算手段ＳＣ（ＳＣ１、ＳＣ２、ＳＣ３）で今回スケジュール計算した軸スケジュール計算結果は、統括スケジュール計算手段１０３へ戻すと共に、今回計算軸スケジュール計算結果格納ファイル１０６へ保存される。次の統括スケジュール計算手段１０３を実行した場合、個別の軸スケジュール計算手段結果は今回計算軸スケジュール計算結果格納ファイル１０６に保存され、既に保存されていた今回計算軸スケジュール計算結果は前回計算軸スケジュール計算結果格納ファイル１０５に移動する。
【００５７】
以上説明した事項を簡単に述べると、要するに統括スケジュール計算手段１０３での全体スケジュール計算結果が軸発電設備の軸スケジュール計算手段ＳＣに送られ、さらに軸スケジュール計算手段ＳＣのスケジュール計算結果が統括スケジュール計算手段１０３に返送されるという手順を踏んで、スケジュールが定まっていく。然るに係る信号伝送の送受信を図４のような頻繁な起動停止を行うケースに当てはめると演算や送受信に余裕がなくなる可能性がある。
【００５８】
反面、数時間前の起動停止と、今回の起動停止とでは各種操作や手順には大きな変更がないとも考えられることから、本発明では一定の条件を満たす場合に前回運転時の軸スケジュール計算手段ＳＣのスケジュール計算結果を用いて、簡便にスケジューリングすることにした。
【００５９】
本発明では、上記の事項を踏まえて現在の状況に応じて簡便なスケジューリングと起動を行うものである。まず、現在時点で起動、停止が完了しており新たな起動、停止の予定がない軸発電設備に対しては、当然のことながら具体的なスケジューリングの必要性がないので何も実行しない。
【００６０】
現在時点で起動、停止しており、新たな起動、停止の予定が発生した軸発電設備に対しては、前回計算軸スケジュール計算結果１０５に過去実績が存在すること、および起動予定時刻と目標負荷に変更がないという条件で、新たな起動、停止のための軸スケジュール計算を割愛して、前回計算軸スケジュール計算結果１０５に従い起動、停止を指示する。但し、給電指令所からの頻繁な電力要求量の変更に伴い、その後起動開始前に起動予定時刻と目標負荷に変更が生じたという場面では、軸スケジュール計算を実行してその結果に従い起動開始することになる。
【００６１】
また前回計算軸スケジュール計算結果１０５に従い起動、停止中であるという状況において、前回と今回運転での時間偏差が大きくなっている、さらには時間偏差が拡大方向にあるといった場面では軸スケジュール計算をそこから再実行する。
【００６２】
本発明では前回計算軸スケジュール計算結果１０５に従い起動、停止中であるという状況での運用のために、図１に示すように今回計算軸スケジュール計算結果格納ファイル１０６と、前回計算軸スケジュール計算結果格納ファイル１０５を準備する。さらに本発明では、統括スケジュール計算用情報設定手段１０４から設定した信号により統括スケジュール計算手段１０３を実行するとともに、スケジュール計算結果比較判定手段１０７において前回計算軸スケジュール計算結果１０５とプラントデータ格納ファイル１１１に格納された各発電設備の運転時におけるプラントデータを比較判定する。また事前スケジュール状況確認手段１０９により、時間偏差が許容範囲内であるかどうかについて、スケジュール計算を実行する前に状況を確認する。その結果を統括スケジュール計算手段１０３におけるスケジュール計算に生かし、統括スケジュール計算手段は最適なスケジュールを作成するために再スケジュール計算を実施し、各スケジュール計算手段へスケジュール計算するためのデータを送信する。
【００６３】
図５と図６を用いて、前回のスケジュール計算結果と今回のスケジュール計算結果を比較するための考え方を説明する。
【００６４】
まず図５は、Ｘ時刻における統括スケジュール計算要求による軸スケジュール計算結果を説明する図である。図５の例における起動順位は、第２軸、第３軸、第１軸の順であったとする。
【００６５】
この例の給電指令装置からの要求電力量パターン３００では、基準となる時刻ｔｘに対し、時刻ｔｘ１に１台目の第２軸を起動し、時刻ｔｘ２に２台目の第３軸の起動を要求する。これに対し、１台目の第２軸では発電設備起動開始時刻がｔｘ１１、ＧＴ起動開始がｔｘ１２、ＳＴ起動開始がｔｘ１３、ＧＥＮ併入開始がｔｘ１４、目標負荷到達がｔｘ１等であった。また２台目の第３軸では発電設備起動開始時刻がｔｘ２１、ＧＴ起動開始がｔｘ２２、ＳＴ起動開始がｔｘ２３、ＧＥＮ併入開始がｔｘ２４、目標負荷到達がｔｘ２等であった。
【００６６】
なお図１の統括スケジュール計算用情報設定手段１０４では、その詳細を図１０、図１１に示すように発電設備起動順位の設定、発電設備停止順位の設定を行っている。これは要求電力に対し発電運転させる軸についての起動順位を軸毎に選択し、要求電力が少ない場合は軸を順次停止させるために停止順位で各軸の停止順位を選択するものである。図１０の発電設備起動順位設定用のスケジュール計算用情報設定手段１０４Ａと、図１１の発電設備停止順位設定用のスケジュール計算用情報設定手段１０４Ｂでは、押し釦スイッチにより発電軸の起動順位および停止順位を選択設定することができる。図５の例では起動順位を第２軸、第３軸、第１軸の順に設定した。
【００６７】
図１の火力発電プラント運転支援装置１０８では、図５の場合にも今まで説明したと同じ要領で以下の処理を実行している。まず図５では、図１０で設定した起動順位に従い個別軸スケジュール計算手段側へ要求信号を送信する。本図の例における起動順位は、第２軸、第３軸、第１軸の順位としたので、最初に第２軸の軸スケジュール計算３０２の計算を指示し、発電設備起動開始、ＧＴ起動開始、ＳＴ起動開始、ＧＥＮ併入開始、目標負荷到達等のスケジュール計算結果を求める。次に第３軸の軸スケジュール計算３０３の計算を指示し、２軸同様に発電設備起動開始、ＧＴ起動開始、ＳＴ起動開始、ＧＥＮ併入開始、目標負荷到達等のスケジュール計算結果を求める。なお給電指令装置からの要求電力量パターン３００では、２台相当分の要求電力であることから３台目にあたる第１軸の起動は不要となり軸スケジュール計算は実行されない。
【００６８】
これに対し図６は、Ｙ時刻における統括スケジュール計算要求による軸スケジュール計算結果を説明する図である。図６の例における起動順位も図５と同様に第２軸、第３軸、第１軸の順であり、図５においてすでに第２軸が起動完了しており、次の第３軸が起動過程にあり、さらなる負荷増加要求により最後の第１軸が今から起動する状態にある。
【００６９】
なおこの図の例の給電指令装置からの要求電力量パターン３００では、基準となる時刻ｔｙに対し、時刻ｔｙ１に２台目の第３軸を起動完了し、時刻ｔｙ２に３台目の第１軸の起動を要求している。また起動完了した１台目の第２軸の起動時刻がｔｙ０で示されている。またこの図では、１台目の第２軸では発電設備起動開始時刻がｔｙ０１、ＧＴ起動開始がｔｙ０２、ＳＴ起動開始がｔｙ０３、ＧＥＮ併入開始がｔｙ０４、目標負荷到達がｔｙ０等であった。また２台目の第３軸では発電設備起動開始時刻がｔｙ３１、ＧＴ起動開始がｔｙ３２、ＳＴ起動開始がｔｙ３３、ＧＥＮ併入開始がｔｙ３４、目標負荷到達がｔｙ１等であった。３台目の第１軸では発電設備起動開始時刻がｔｙ２１、ＧＴ起動開始がｔｙ２２、ＳＴ起動開始がｔｙ２３、ＧＥＮ併入開始がｔｙ２４、目標負荷到達がｔｙ２等である。
【００７０】
このように図６はＹ時刻における統括スケジュール計算要求による軸スケジュール計算結果を説明する図である。ここでの給電指令装置からの要求電力量パターン６００は、図５と比較すると要求電力量パターン３００に対し３台目相当の要求電力量分が増えた点の相違がある。そのため３台目の軸スケジュール計算として第１軸について軸スケジュール計算手段をＹ時刻に統括スケジュール計算手段を実施する例を示している。
【００７１】
Ｙ時刻に統括スケジュール計算手段を実行した場合、Ｙ時刻時点において第２軸および第３軸はそれぞれ既に計算済みの軸スケジュール計算結果３０２、３０３に沿い起動操作進行中しているが、運転状況および発電設備に関わる機械側の状況によりスケジュール計算結果と相違している運転が行われていることがある。第１軸は新規に起動用の軸スケジュール計算手段を行ないスケジュール計算結果が求まる。
【００７２】
図８は前回軸スケジュール結果と現在プラント状況確認フローを示した図である。ここには、図１の統括スケジュール計算用情報設定手段１０４と、現在プラントデータ格納ファイル１１１と、前回スケジュール結果格納ファイル１０５と、統括スケジュール計算手段１０３と、スケジュール計算結果比較判定手段１０７の関係が整理して示されている。
【００７３】
また図７には前回軸スケジュール結果と現在のプラント状況確認操作画面の一例が表示されている。図７の表示操作は、図８の統括スケジュール計算用情報設定手段１０４に設置した前回計算スケジュールに対する現状のスケジュール状況確認用の押しボタン７０１に連動している。このため以下の説明は、図７と図８を参照して行われる。
【００７４】
なお図７、図８の説明に当たり、図６で説明したＹ時刻時点において統括スケジュール計算手段１０３および軸スケジュール計算手段ＳＣを実施した場合を例にとり説明する。
【００７５】
この図６の状態では、統括スケジュール計算手段１０３と軸スケジュール計算手段ＳＣ間において、それぞれのスケジュール計算に必要なデータの送受信が発生している。また統括スケジュール計算手段１０３を要求した時点から、軸スケジュール計算手段ＳＣの演算を行ない最終的なスケジュール計算結果が得られるまでに必要な所要時間を要するが、その所要時間の間にプラントは進行してしまい、最終的なスケジュール計算結果とプラント状況に乖離してしまう現象が発生している。そこで、スケジュール計算実行前に前回計算済みのスケジュール計算結果とプラント状況を短時間で確認しておくことが必要となる。
【００７６】
まず図８の処理は、統括スケジュール計算用情報設定手段１０４に設置した前回計算スケジュールに対する現状のスケジュール状況確認用の押しボタン７０１が押されることで進行し、図７の発電設備プラント状況確認一覧表７０２に、前記前回計算軸スケジュール計算結果格納ファイル１０５から確認押し釦押下時刻のプラント状況について、運転員が認識容易な文字表示を行なう。
【００７７】
図７の表示事例では、縦軸に各軸の発電設備を区分して示している。また横軸には種別と、プラント状況と偏差時間の欄が設定されている。このうち種別には、軸発電設備ごとに前回計算結果と現在プラントの区別を表示している。またプラント状況の欄の表記は、プラント状況確認押し釦７０１押下時点の前回スケジュール結果と現在プラント状況を文字で表現し、運転員の状況確認を容易にしている。なおこれらはプラント状況表示文字登録ファイルの登録項目である。
【００７８】
なおプラント状況についての具体的な表示項目の例は、発電設備停止中、発電設備起動開始、ＧＴ昇速中、ＧＴ起動開始、ＳＴ昇速中、ＳＴ速度保持中、ＳＴ起動開始、発電機併入、発電機５０％負荷上昇開始などである。このようにして同時に現在進行中の発電設備における予め採取項目を決めておいたプラントデータから、発電設備がスケジュール計算上のどのプラント状況下にあるかについて運転員が認識容易な文字表示を行ない、前回計算済みスケジュール計算結果と現在のプラント状況を文字による状態確認を行なう。
【００７９】
図７の表示事例の偏差時間の欄には、前回計算済みスケジュール計算結果と現在のプラント状況について、偏差時間は前回計算スケジュール計算結果を基準として表示する。前回計算スケジュール計算結果よりも現在プラントデータが遅れている場合は“＋”とし、現在プラントデータが進んでいる場合は“−”で表示する。これにより運転員はスケジュール計算結果と現在のプラント状況を、スケジュール計算を行なうこと無く把握することが可能となる。また基準となる時刻が表示されていてもよい。
【００８０】
なお偏差時間の欄には、さらにスケジュール計算の続行の可否を運転員が定めるための許可、非許可の選択押しボタンが設置されていてもよい。この点に関して、統括スケジュール計算手段の開始前に軸スケジュール計算手段で必要な運転情報として、軸スケジュール計算手段を実行する前に図９で説明した前回軸スケジュール結果と現在プラントデータに相違時間が発生する場合がある。
【００８１】
この相違時間に対しスケジュール計算実行前に無条件に許容しない場合は許容否押し釦を選択する。許容否押し釦選択時は、統括スケジュール計算手段開始の指令で軸スケジュール計算手段を行い、現在状況からの軸毎の軸スケジュール結果を求める。同様に相違時間に対しスケジュール計算実行前に許容する場合は許容可押し釦を選択する。この場合は前回軸スケジュール結果と現在プラントデータに相違時間において、許容できる時間と判断するための許容可能時間を予め設定しておく。
【００８２】
図８（前回軸スケジュール結果と現在プラント状況確認フローを説明する図）に戻る。この処理は図７で説明したと同じ前回計算スケジュールに対する現状のスケジュール状況確認押し釦７０１を押下したことにより進行する。
【００８３】
ここではまず統括スケジュール計算手段１０３から前回計算軸スケジュール計算結果格納ファイル１０５に対しスケジュールデータ採取指令を出力する。また統括スケジュール計算手段１０３から前記プラントデータ格納ファイル１１１に対しプラントデータ採取指令を出力する。この結果、スケジュール計算結果比較判定手段１０７には前回計算軸スケジュール計算結果格納ファイル１０５とプラントデータ格納ファイル１１１が保持するデータが送信される。
【００８４】
スケジュール計算結果比較判定手段１０７内の運転プラント状況判定手段８０１には、前回計算軸スケジュール計算結果格納ファイル１０５のスケジュール計算上のデータおよびプラントデータ格納ファイル１１１の運転中のプラントデータが取り込まれる。ここでは前回計算軸スケジュール計算結果とプラントデータ間の比較が実施される。
【００８５】
またスケジュール計算結果比較判定手段１０７内のプラント状況決定手段８０３では、前回計算軸スケジュール計算結果格納ファイル１０５から取り込んだスケジュール計算上のプラント状況について、予め登録しておいたプラント状況表示文字登録ファイル８０３を参照し、その状況を示す文字文から運転員が認識容易となる文字を選択し表示する。またプラント状況決定手段８０３では、同時に現在進行中の発電設備における予め採取項目を決めておいたプラントデータ格納ファイル１１１のデータについてもプラント状況表示文字登録ファイル８０３を参照し、現在運転しているプラントデータから発電設備がスケジュール計算上に相当するプラント状況について運転員が認識容易な文字で表示する。
【００８６】
プラントデータ偏差時間算出手段８０２においては、現在のプラント状況に相当する前回計算済みスケジュール計算結果の時刻を求め、現在のプラント状況を基準とした偏差時間を算出する。
【００８７】
プラント状況表示手段（前回計算軸スケジュール計算結果／プラントデータ）８０５では、運転プラント状況判定手段（前回計算軸スケジュール計算結果／プラントデータ）８０３およびプラントデータ偏差時間算出手段（前回計算軸スケジュール計算結果／プラントデータ）８０２で求めたプラント状況文字およびプラントデータ偏差時間を表示する。
【００８８】
図９は前回軸スケジュール結果と現在プラント状況確認概要を説明する図である。図９において、上部がＸ時刻を基準時刻とする時の前回軸スケジュール結果９００であり、下部が現在プラントデータ９０１である。
【００８９】
この図のスケジュール表示では、ガスタービンの起動から、蒸気タービンの起動を介して負荷段階に至る一般的なスケジュールを示している。図９の表示事例では、前回軸スケジュール結果９００の各段階を示す記号の末尾にＢを付し、現在プラントデータ９０１の各段階を示す記号の末尾にＰを付しているが、これらは以下のような段階を意味している。ＰＳはプラント起動、ＧＴＳはＧＴ起動開始、ＧＴＷはＧＴ再昇速開始、ＧＴＣはＧＴ起動完了、ＳＴＳはＳＴ起動開始、ＳＴＷはＳＴ再昇速開始、ＳＴＣはＳＴ起動完了、ＧＥＳは発電機併入、ＧＥＷ１は発電機負荷上昇１開始、ＧＥＷ２は発電機負荷上昇２開始、ＧＥＣは目標負荷到達である。
【００９０】
さらに詳細に述べると、図９は前回軸スケジュール結果９００と現在プラントデータ９０１において、ＧＴ回転数（ｒｐｍ）、ＳＴ回転数（ｒｐｍ）、発電電力（ｋＷ）のスケジュール計算結果と現在のプラントデータの推移カーブデータを示したものである。また前回軸スケジュール結果は、１回前に実施したスケジュール計算結果を表しており、横軸の時間（０時〜２４時）に対し、縦軸には回転数（ｒｐｍ）、発電電力（ｋＷ）の運転予定推移データを示すものであり各軸発電設備毎に存在する。
【００９１】
前回軸スケジュール結果の図の例では、軸スケジュール計算実行（Ｘ時）は統括スケジュール計算手段実行の開始が要求された時刻を示しており、ガスタービンＧＴ、蒸気タービンＳＴ、発電機の運転開始に先立ち関連機械を運転させるプラント起動（ＰＳＢ）となる。次にＧＴ起動開始時刻（ＧＴＳＢ）においてＧＴ起動となりＧＴ再昇速開始時刻（ＧＴＷＢ）にてＧＴ回転数が再上昇しＧＴ起動完了時刻（ＧＴＣＢ）となる。同様にＳＴ起動開始時刻（ＳＴＳＢ）にて蒸気タービンＳＴに蒸気が通気されＳＴ回転数が上昇を開始する。ＳＴ回転数を一旦保持した後にＳＴ再昇速開始（ＳＴＷＢ）となりＳＴ起動完了時刻（ＳＴＣＢ）となる。更に発電機併入（ＧＥＳＢ）し初負荷保持後の負荷上昇（ＧＥＷＢ１）し、再度負荷保持後に負荷上昇（ＧＥＷＢ２）となり、要求電力に見合う目標負荷到達（ＧＥＣＢ）となる。
【００９２】
現在プラントデータ側は、前回軸スケジュール計算に従った運転が行われ、プラント起動（ＰＳＰ）から目標負荷到達（ＣＥＣＰ）となる。現在運転中のプラントにおいて機械状況、環境条件等により軸スケジュール計算通りに進まないことが多く、前回軸スケジュール結果と現在プラントデータにはずれが生じることになり、同じプラント値で比較した場合、それぞれの間には偏差時間が発生することになる。
【００９３】
図１２は前回軸スケジュール結果と現在プラント状況の傾向監視を説明する図である。
【００９４】
この図で前回軸スケジュール結果と現在プラントの運転カーブデータを重ねて示したスケジュール１２００は、図９で示した前回軸スケジュール結果９００と現在プラントデータ９０１を１つの図に纏めたものである。この図の表記によれば、現在プラント状態は負荷段階に差し掛かっている。前回軸スケジュール結果９００では発電機併入ＧＥＳＢが完了しているが、現在プラント状態では発電機負荷上昇２開始ＧＥＷ２Ｐ、目標負荷到達ＧＥＣＰは、これから行われる段階である。このように、前回を参考にした場合に、今回のプラント状態は遅れて進行しており、両者の間には時間差が発生している。
【００９５】
イベント間の偏差時間および傾向監視表１２０１は、前回軸スケジュール結果と現在プラントの運転カーブデータについて、それぞれにおける各イベント間の運転所用時間を纏めたものである。傾向監視表１２０１は、縦軸にガスタービンの起動から、蒸気タービンの起動を介して負荷段階に至る一般的なイベントを、その開始から終了までの期間として表示している。
【００９６】
なお傾向監視表１２０１は、図１２のような表形式、あるいは図１２上部の時間軸上のグラフ表示など、対比可能な形式で火力発電プラント運転支援装置が備えるモニタ画面上に表示され、運転員の判断に提供されていることは言うまでもない。この表示手段では、前回計算軸スケジュール計算結果格納ファイルに格納された前回計算軸スケジュールでの各イベントの進行状況と、前記プラントデータ格納ファイルに格納されたプラントデータから得られる現在運転時のプラントのイベントの進行状況とを時間対比して表示したものである。
【００９７】
横軸にはイベントが開始されてから終了（次のイベントの開始）までの偏差時間を種々の観点から整理して表示している。なお各イベント間の偏差時間は、Ｙ時刻におけるプラント状況確認押し釦ＯＮ時のイベントを含む以降のイベントについてのみ所用時間を表示している。
【００９８】
ここではイベント間の偏差時間については、前回計算と現在プラントのものについて「Ｙ時刻におけるプラント状況確認押し釦ＯＮ時のイベントを含む以降のイベントについてのみ所用時間を表示している」という約束のもとに、イベント間の所要時間の偏差時間を表示している。また偏差について、偏差時間の差分時間を表示している。
【００９９】
横軸の傾向監視の欄には、差分と傾向を表示している。差分の欄には、上記で求めたイベント間の偏差時間の差分時間を表示している。傾向の欄には１つ前のイベントと比較して増加傾向にある場合は、「１」を加算する。減少傾向にある場合は「１」を減算する。数字が増加傾向もしくは減少傾向にあるかについて、運転員が認識し易くなると同時に、再スケジュール計算時に傾向状況をスケジュール計算に盛り込むことが可能である。
【０１００】
このように、前回軸スケジュール結果の運転所用時間と現在プラントの運転所用時間について、同じ運転状況における所要時間の偏差を求め、現在プラント運転状況が前回軸スケジュール結果と差異があるかどうかをチェックし偏差時間として表している。
【０１０１】
この偏差時間がプラス側の時は前回軸スケジュール結果に対し現在プラント状況が遅れていることを示し、逆にマイナス側の時は前回軸スケジュール結果に対し現在プラント状況が進んでいることを示す。
【０１０２】
さらに前回軸スケジュール結果の運転所用時間と現在プラント状況の所用時間の偏差について、イベント間毎の時間の差を差分時間として求め、この差分時間が増加傾向にあるのか、若しくは減少傾向にあるのかについて数値で表すものとする。本数値は、計算開始時点を基点の“０”とし、ここから時間が増加傾向にあるときはイベント間毎に数値を“１”増加させ、逆に減少傾向にあるときはイベント間毎に数値を“１”減少させていく。
【０１０３】
現在プラント状況が前回軸スケジュール結果と一致していれば、差分時間は偏差が無いため傾向監視数値は“０”のままとなる。もし、現在プラント状況が前回軸スケジュール結果よりも遅れていれば、差分時間の偏差はプラス側となり傾向監視数値は“１”増加していく。逆に現在プラント状況が前回軸スケジュール結果よりも進んでいれば、差分時間の偏差はマイナス側となり傾向監視数値は“１”減少していく。この傾向監視数値の増減状況で前回軸スケジュール結果に対する現在プラント運転状況の進みか遅れが判断できる。
【０１０４】
図１３は統括スケジュール計算手段実行フローを説明する図である。
【０１０５】
統括スケジュール計算手段１０３を開始する時は、先ず図１０、図１１で説明した発電設備起動／停止順位設定処理ステップＳ１３００で、どの軸をどのような順位で起動／停止させるかを設定する。
【０１０６】
次に処理ステップＳ１３０１において、前回軸スケジュール結果と現在プラント状況に相違があった場合に、相違を許容するかどうかについて予め選択押し釦において選択しておく。この選択押し釦が図７の偏差時間の欄に設定されている。また許容可を選択した場合でも予想外に偏差時間が大きくなる場合があるため、このような場合において許容可能時間を予め設定しておくことが必要となる。この設定も図７の中で行うのがよい。
【０１０７】
スケジュール計算手段開始前の事前設定（処理ステップＳ１３００，Ｓ１３０１）が終了したら処理ステップＳ１３０２において統括スケジュール計算手段１０３が開始され、さらに軸スケジュール計算手段ＳＣも順次開始となる。
【０１０８】
次のスケジュール相違許容可否選択判断ステップＳ１３０３では、前回軸スケジュール結果に対し現在プラント状況の偏差を許容するか、否かの判断を実行する。仮に、現在プラント状況の偏差を許容しないとする許容否押し釦が選択されている場合は、処理ステップＳ１３０９の処理に移り、軸スケジュール計算手段を最初から順次計算を行っていく。
【０１０９】
一方許容可が選択されている場合は、前回軸スケジュール結果と現在プラントデータの比較による各イベント間の偏差時間、差分時間、傾向監視数値算出処理Ｓ１３０４を実行する。これにより、図１２で説明した処理により求めた偏差時間、差分時間、傾向監視数値を求める。
【０１１０】
次いで各イベント間の偏差時間と許容可能時間の大小比較処理ステップＳ１３０５の処理を行う。この処理において、事前にスケジュール相違を許容可能とする選択をしたが、予想外に偏差が大きい場合は許容不可と判断される。この場合には、処理ステップＳ１３０９の処理に移り、軸スケジュール計算手段を最初から順次計算を行っていくことになる。
【０１１１】
処理ステップＳ１３０５の処理において偏差時間が許容可能時間の制限内である場合は、傾向監視数値の判断ステップＳ１３０６において、予め設定している規定値との比較を行う。比較結果規定値よりも大きい場合は、処理ステップＳ１３０７に移り傾向監視数値を“０”に近づけるように、図１２に示したように各イベント間の時間幅を短縮もしくは延長させるような軸スケジュール計算手段を行う。
【０１１２】
一方傾向監視数値の判断ステップＳ１３０６において、傾向監視数値が規定値よりも小さい場合は、前回軸スケジュール結果を、そのまま使用することが可能であることを示しているので、処理ステップＳ１３０８に移り、前回軸スケジュール結果を使用したスケジュール計算を実施する。これにより最初から軸スケジュール計算手段Ｓ１３０９を実行するよりも計算時間が短縮され、計算量の減少により統括スケジュール計算を短時間で終了させることが可能となる。
【０１１３】
なお一連の処理フローには記述していないが、各イベントの期間中において、前回軸スケジュール結果と現在プラントデータの軸スケジュール結果との比較により、各イベント間の期間中の比較結果で、傾向として時間幅が徐々に広がっている場合は、現在のスケジュール結果に時間幅の延長している分を組み込みスケジュールとするのがよい。
【０１１４】
図１４は軸スケジュール計算手段実行時の各イベント間の傾向監視を考慮するスケジュール計算を説明する図である。
【０１１５】
前回軸スケジュール結果における各イベント間の偏差時間カーブデータ１４００において、各イベント間の時間幅を求める。また現在プラント状況における各イベント間の偏差時間カーブデータ１４０１において、各イベント間の時間幅を求める。この両者のイベント時間幅の差分が偏差時間となる。この偏差時間について各イベント毎に算出し、偏差時間がイベント毎に対する増加傾向、減少傾向を各イベント間の傾向数値カーブデータ１４０２で算出する。
【０１１６】
以上詳細に説明した本発明の特徴的な事項を整理しておくと、まず前回軸スケジュール結果と現在プラント状況が時間対比しながら確認できる画面表示がなされており、推奨事例としての前回軸スケジュール結果と今回の進展状況が対比されることで起動停止が順調に行われているかどうかが対比可能である。ここで前回軸スケジュール結果は、必ずしも直近の運転結果でなくてもよく、当該軸についての望ましい過去運転結果から得られたものであってもよい。つまり、常に前回を推奨事例とした場合には遅れが蓄積された事例であっても推奨事例とされてしまうので、適宜の時点で見直しを行ったものを前回軸スケジュール結果として採用することが有効である。逆に常に直近の運転結果とすることで、実際の機器状況を正しく反映した運転が行えるという見方もあるので、実情に応じて適宜前回軸スケジュール結果を見直すことが必要である。
【符号の説明】
【０１１７】
１００：需要者
１０１：給電指令装置
１０２：要求電力量作成手段
１０３：統括スケジュール計算手段
１０４：統括スケジュール計算用情報設定手段
１０５：前回軸スケジュール結果格納ファイル
１０６：今回軸スケジュール結果格納ファイル
１０７：スケジュール計算結果比較判定手段
１０８：火力発電プラント運転支援装置 
１０９：事前スケジュール状況確認手段
１１０：発電設備
１１１：プラントデータ格納ファイル
１１２：プラントデータ採取手段
ＳＣ：軸スケジュール計算手段
ＣＴ：軸制御装置
ＰＷ：軸発電設備
ＰＰＳ１：新設発電設備
ＰＰＳ２：他メーカ発電設備
ＰＰＳ３：既設発電設備
ＶＷ：給水流量調節弁
ＶＦ：燃料流量調節弁
ＶＡ：空気流量調節弁
ＣＯＭＰ：空気圧縮機
ＣＯＭＢ：燃焼器
ＧＴ：ガスタービン
Ｂ：排熱回収ボイラ
ＳＴ：蒸気タービン
Ｇ：発電機
ＣＯＮＤ：復水器
３００：要求電力パターン
３０１：第１軸スケジュール計算
３０２：第２軸スケジュール計算
３０３：第３軸スケジュール計算
７０１：統括スケジュール計算開始押し釦
７０２：発電設備プラント状況一覧表
８０１：軸スケジュール計算結果／プラントデータの比較ステップ
８０２：軸スケジュール計算結果／プラントデータ間の偏差時間算出ステップ
８０３：前回軸スケジュール結果と現在プラントデータに相当するプラント状況決定ステップ
８０４：プラント状況表示文字登録ファイル
８０５：前回軸スケジュール結果と現在プラントデータのプラント状況及び偏差時間表示ステップ
９００：前回軸スケジュール結果（ＧＴ／ＳＴ回転数、発電電力）
９０１：現在プラントデータ（ＧＴ／ＳＴ回転数、発電電力）
１０４Ａ：発電設備起動順位設定のスケジュール計算用情報設定画面
１０４Ｂ：発電設備停止順位設定のスケジュール計算用情報設定画面
１２００：前回軸スケジュール結果と現在プラントの運転カーブデータ
１２０１：イベント間の偏差時間および傾向監視表
Ｓ１３００：発電設備起動／停止順位設定ステップ
Ｓ１３０１：スケジュール相違許容可否選択及びスケジュール許容可能時間の設定ステップ
Ｓ１３０２：統括スケジュール計算手段開始ステップ
Ｓ１３０３：スケジュール相違許容可否選択ステップ
Ｓ１３０４：イベント間偏差時間、差分時間、傾向監視数値算出ステップ
Ｓ１３０５：イベント偏差時間／許容可能時間比較判定ステップ
Ｓ１３０６：傾向監視数値／規定値比較判定ステップ
Ｓ１３０７：傾向監視算出時間幅の加算／減算対応軸スケジュール計算手段実行ステップ
Ｓ１３０８：前回軸スケジュール計算手段再使用ステップ
Ｓ１３０９：軸スケジュール計算手段実行ステップ
Ｓ１３１０：統括スケジュール計算手段完了ステップ
１４００：前回軸スケジュール結果における各イベント間の偏差時間カーブデータ
１４０１：現在プラント状況における各イベント間の偏差時間カーブデータ
１４０２：各イベント間の傾向数値カーブデータ
【図１】
2015094972.tif 000003
【図２】
2015094972.tif 000004
【図３】
2015094972.tif 000005
【図４】
2015094972.tif 000006
【図５】
2015094972.tif 000007
【図６】
2015094972.tif 000008
【図７】
2015094972.tif 000009
【図８】
2015094972.tif 000010
【図９】
2015094972.tif 000011
【図１０】
2015094972.tif 000012
【図１１】
2015094972.tif 000013
【図１２】
2015094972.tif 000014
【図１３】
2015094972.tif 000015
【図１４】
2015094972.tif 000016